(57)【特許請求の範囲】
【請求項１】
少なくとも、表面と裏面と天面とを備え、
前記表面と前記裏面とが対向して配置される胴部と、
前記胴部の上部に設けられる第１ガセット折部と、
前記第１ガセット折部の一方の折部に設けられる注出口と、
前記第１ガセット折部の他方の折部に形成される取手手段と、を備える注出口付きパウチであって、
前記他方の折部は、第１部分と第２部分とで構成され、
前記他方の折部の前記第２部分は、正面視において、前記他方の折部の上縁Ｌ１と前記一方の折部の上縁Ｌ２との差分に相当する部分であり、
前記取手手段は前記第２部分に形成されており、
前記注出口の先端が前記取手手段の下縁よりも下方に位置し、
前記他方の折部は、前記裏面と前記天面とで構成され、前記裏面の前記他方の折部を形成する部分が１枚のフィルムで構成され、前記天面の前記他方の折部を形成する部分が１枚のフィルムで構成されている注出口付きパウチ。
【請求項２】
前記胴部の下部には、第２ガセット折部が設けられている請求項１に記載の注出口付きパウチ。
【請求項３】
５００ｍｌ以上の内容物を収容可能である、請求項１又は２に記載の注出口付きパウチ。
【請求項４】
前記取手手段が全体として横長形状であり、幅方向の長さが５ｃｍ以上である、請求項１から３のいずれかに記載の注出口付きパウチ。
【発明の詳細な説明】
【技術分野】
【０００１】
本発明は、流動性を有する内容物を収容可能である注出口付きパウチに関する。
【背景技術】
【０００２】
液体状や粉末状の、食品、日用品、医薬品などを収容するために、可撓性フィルムで構成されたスタンディングパウチ（自立性袋）が用いられている。なかでも、スタンディングパウチの上部にプラスチックの成形体による注出口を取り付けた注出口付スタンディングパウチは、取扱いが容易で、かつ、再封止できる包装体である。また、スタンディングパウチに取手穴を形成して持ち上げ易くした構成も知られている。
【０００３】
この注出口と取手穴を両方備える包装袋として、例えば、下記の特許文献１には、容器の注出口の先端部が取手穴に重なり合うように構成された容器が開示されている。また、特許文献２には、上部のガセット折部のそれぞれに、注出口と取手穴を両方備える包装袋が開示されている。
【先行技術文献】
【特許文献】
【０００４】
【特許文献１】米国特許第８３４８５０９号公報
【特許文献２】特開平１０−２１１９４０号公報
【発明の概要】
【発明が解決しようとする課題】
【０００５】
特許文献１の容器は、注出口の先端部が取手穴に重なり合うように構成されているため、ハンドリング性や携帯性に優れているものの、取手穴を持って注出口から内容物を注ぐことは必ずしも容易であるとはいえない。例えば、５００ｍｌ以上の大量の内容物を収納した容器である場合には、その容器は相当に重くなることから、容器の注出口が重なり合っている取手穴を持って、注出口から内容物を注出可能になるまで容器を傾けることは難しい。また、注出口の先端部が取手穴に重なり合うので、内容物が取手穴に付着して汚れ易い構造である。
【０００６】
特許文献２の容器は、２つのガセット折部の一方に注出口、他方に取手穴が形成されている点では上記の問題を解消できる。しかし、取手穴をガセット折部に形成するためには、他方のガセット折部をヒートシール等で接合する必要がある。この結果、製造工程が煩雑になる。
【０００７】
本発明は、以上の状況に鑑みてなされたものであり、その目的は、内容物を最大限収容可能な収容空間を確保でき、かつ、大量の内容物を収納した場合であっても、使用性に優れた注出口付きパウチを提供することである。
【課題を解決するための手段】
【０００８】
本発明者らは、上記課題を解決すべく鋭意検討を行った結果、下記の手段によって上記課題を解決できることを見出し、本発明を完成するに至った。
【０００９】
（１）少なくとも、表面と裏面と天面とを備え、前記表面と前記裏面とが対向して配置される胴部と、前記胴部の上部に設けられる第１ガセット折部と、前記第１ガセット折部の一方の折部に設けられる注出口と、前記第１ガセット折部の他方の折部に形成される取手手段と、を備える注出口付きパウチであって、前記他方の折部は、第１部分と第２部分とで構成され、前記他方の折部の前記第２部分は、正面視において、前記他方の折部の上縁Ｌ１と前記一方の折部の上縁Ｌ２との差分に相当する部分であり、前記取手手段は前記第２部分に形成されており、前記他方の折部は、前記裏面と前記天面とで構成され、前記裏面の前記他方の折部を形成する部分が１枚のフィルムで構成され、前記天面の前記他方の折部を形成する部分が１枚のフィルムで構成されている注出口付きパウチ。
【００１０】
（２）前記胴部の下部には、第２ガセット折部が設けられている（１）に記載の注出口付きパウチ。
【００１１】
（３）正面視において、前記注出口の先端は、前記取手手段の上縁より下方に位置するように形成されている（１）又は（２）に記載の注出口付きパウチ。
【００１２】
（４）５００ｍｌ以上の内容物を収容可能である、（１）から（３）のいずれかに記載の注出口付きパウチ。
【００１３】
（５）前記取手手段が全体として横長形状であり、幅方向の長さが５ｃｍ以上である、（１）から（４）のいずれかに記載の注出口付きパウチ。
【発明の効果】
【００１４】
本発明によれば、内容物を最大限収容可能な収容空間を確保でき、かつ、大量の内容物を収納した場合であっても、使用性に優れた注出口付きパウチを提供できる。
【図面の簡単な説明】
【００１５】
【図１】本発明の一実施形態である注出口付きパウチを用いた包装体の斜視図である。
【図２】図１の包装体からの内容物の注出動作を模式的に表した図であって、本発明の注出口付きパウチの一使用例である。
【図３】本発明の一実施形態である注出口付きパウチの正面図（ａ）及び背面図（ｂ）である。
【図４】本発明の一実施形態である注出口付きパウチを用いた包装体の側面図（ａ）及び断面図（ｂ）である。
【発明を実施するための形態】
【００１６】
以下、本発明の実施形態について、詳細に説明するが、本発明は、以下の実施形態に何ら限定されるものではなく、本発明の目的の範囲内において、適宜変更を加えて実施することができる。なお、本実施形態においては、パウチがスタンディングパウチである例を説明するが、これに限らず、パウチは三方シールパウチや四方シールパウチ等の平パウチであってもよい。
【００１７】
＜注出口付きパウチの構成＞
本発明の注出口付きパウチは、少なくとも、表面と、裏面と、天面とを備える。図１から図４を参照しながら、本実施形態のスタンディングパウチ１及びそれを用いた包装体１０について説明する。なお、本発明においては、内容物が収容されていない状態の注出口パウチも内容物が収容されている状態のパウチも権利範囲に含まれるものである。以下、内容物が収容されていない状態の注出口付きパウチをスタンディングパウチ１とし、内容物が収容されている状態の注出口付きパウチを包装体１０として説明する。図１は、包装体１０の斜視図であり、図３はスタンディングパウチ１の正面図及び背面図であり、図４はスタンディングパウチ１の側面図及び断面図である。
【００１８】
本実施形態のスタンディングパウチ１は、胴部２と、胴部２間の上部に配置される第１ガセット折部４１と、胴部２間の下部３に配置される第２ガセット折部３１と、から構成されるスタンディングパウチである。胴部の外縁はヒートシール部Ｓなどで接合されており、これにより使用時には第１ガセット折部４１と第２ガセット折部３１が共に広がってスタンディングパウチを構成している。
【００１９】
本実施形態のスタンディングパウチ１は、表面フィルム５０、裏面フィルム６０、天面フィルム７０、底面フィルム８０で構成され、表面フィルム５０の高さは裏面フィルム６０の高さよりも低くなっている。
【００２０】
表面フィルム５０の第１部分５１と天面フィルム７０の第１部分７１とで、第１ガセット折部４１の一方の折部４２が構成されている。また、裏面フィルム６０の第１部分６１と天面フィルム７０の第２部分７２とで、第１ガセット折部４１の他方の折部４３が構成されている。
【００２１】
また、表面フィルム５０の第２部分５２と裏面フィルム６０の第２部分６２とで胴部２が構成されている。
【００２２】
また、表面フィルム５０の第３部分５３と裏面フィルム６０の第３部分６３と底面フィルム８０とで、第２ガセット折部３１が構成されている。
【００２３】
また、天面フィルム７０の第１部分７１と第２部分７２は折線Ｌ５を介して連設され、底面フィルム８０の第１部分８１と第２部分８２は折線Ｌ６を介して連設されている。なお、本実施形態においては、スタンディングパウチ１を４枚のフィルムで構成する例を説明しているが、１枚又は２枚のフィルムで構成するようにしてもよい。つまり、第１ガセット折部４１や第２ガセット折部３１は、２枚のフィルムを接合して形成するだけでなく、１枚のフィルムを折り曲げて形成するようにしてもよい。
【００２４】
上部の第１ガセット折部４１の一方の折部４２の上縁４２１には注出口４２２がヒートシールや超音波などの接合手段によって接合されている。注出口４２２はプラスチック製であり、例えば、射出成形法を用いて形成することができる。この注出口４２２には再封止可能なキャップ４２３が取り付けられていてもよい。なお、本実施形態においては、第１ガセット部４１とは別体のプラスチック成形体である注出口を取り付ける例を説明しているが、第１ガセット折部４１にヒートシール部を形成することにより、第１ガセット折部４１と一体の注出口を設けるようにしてもよい。
【００２５】
第１ガセット折部４１の他方の折部４３は、図３に示すように、後述する第１部分と第２部分とで構成され、第２部分４３４の、幅方向及び上下方向の略中央部には取手手段４３２として、切込が形成されている。なお、本実施形態においては、取手手段４３２を切込とする例を示しているが、取手手段４３２を穴としてもよい。
【００２６】
表面フィルム５０、裏面フィルム６０、天面フィルム７０、底面フィルム８０を構成するフィルムとしては、少なくとも、基材層とシーラント層とを備える積層フィルムを用いることができる。基材層を構成する材料としては、ポリエチレンテレフタレート、ナイロン、ポリプロピレン等のプラスチックや、紙等を用いることができる。また、シーラント層を構成する材料としては、ポリエチレンやポリプロピレン等を用いることができる。積層フィルムには、印刷層やバリア層が形成されていてもよい。バリア層としては、例えば、アルミニウム箔などの金属箔や、アルミニウムなどの無機物や酸化珪素や酸化アルミニウムなどの無機酸化物等が挙げられる。
【００２７】
次に、本実施形態のスタンディングパウチ１を構成する各構成部について各々説明する。
【００２８】
［胴部］
本実施形態に関する胴部２は、内容物が収容されていない状態での正面視において、表面フィルム５０の第２部分５２と裏面フィルム６０の第２部分６２とで構成されるものである。
【００２９】
［第２ガセット折部］
本実施形態に関する第２ガセット折部３１は、胴部２の下部に設けられる。第２ガセット折部３１は、内容物が収容されていない状態での正面視において、表面フィルム５０の第３部分５３と裏面フィルム６０の第３部分５３と底面フィルム８０とで構成されるものである。内容物が収納された場合には、第２ガセット折部３１が十分に広がる。そのため、包装体は自立可能となる（図１）。また、第２ガセット折部３１が広がるので三方シールや四方シールなどの平パウチ形状に比べて内容物の収容空間を大きくすることができる。
【００３０】
なお、この実施形態においては、第２ガセット折部３１によって自立性を有しているが、本発明においては、第２ガセット折部３１は必ずしも必須でない。
【００３１】
［第１ガセット折部］
本実施形態に関する第１ガセット折部４１は、胴部２の上部に設けられる。第１ガセット折部４１は、一方の折部の上縁に接合される注出口４２２と、他方の折部に形成される取手手段４３２と、を備える。
【００３２】
図３（ａ）に示すように、第１ガセット折部４１は、一方の折部４２と他方の折部４３とで構成され、他方の折部４３は、第１部分４３３と第２部分４３４とで構成される。第１ガセット折部４１は、内容物が収容されていない状態での正面視において、表面フィルム５０の第１部分５１と裏面フィルム６０の第１部分６１と天面フィルム７０とで構成される。そして、第１ガセット折部４１の一方の折部４２は、表面フィルム５０の第１部分５１と天面フィルム７０の第１部分７１とで構成される。第１ガセット折部４１の他方の折部４３は、裏面フィルム６０の第１部分６１と天面フィルム７０の第２部分７２とで構成される。
【００３３】
他方の折部４３の第１部分４３３は、胴部２の上縁に連設されている。そして、他方の折部４３の第２部分４３４は、第１部分４３３の上縁に連設され、内容物が収容されていない状態での正面視において、他方の折部４３の上縁Ｌ１と一方の折部の上縁Ｌ２との差分に相当する部分となっている。他方の折部４３の第２部分４３４の長さｌ１は、５ｃｍ以上２０ｃｍ以下程度であることが好ましい。
【００３４】
他方の折部４３の第１部分４３３と第２部分４３４を構成する裏面フィルム６０の第１部分６１が１枚のフィルムで構成され、天面フィルム７０の第２部分７２が１枚のフィルムで構成されている。ここで、１枚のフィルムで構成されるとは、第１部分４３３と第２部分４３４に接合部分が存在しないことを意味する。このため、特許文献２の容器のように、第１部分４３３と第２部分４３４とを接合する必要が無いため、特許文献２の容器に比べて生産性に優れる。なお、本実施形態においては、他方の折部４３の第２部分４３４を構成する裏面フィルム６０の第１部分６１と天面フィルム７０の第２部分７２は、全領域に亘って接合されている。
【００３５】
そして取手手段４３２である切込は、他方の折部４３の第２部分４３４に形成されている。他方の折部４３の第２部分４３４に切込が形成されていることで、容易に切込に手を入れることができるようになるため、スタンディングパウチ１を把持し易くなり、注出口４２２から内容物を容易に注ぎ出し易いという特徴を有する。
【００３６】
なお、他方の折部４３の第１部分４３３は、他方の折部４３の基部Ｐから第１部分４３３の上縁４３５に亘って、裏面フィルム６０の第１部分６１と天面フィルム７０の第２部分７２が接合されていない非接合部４３６を含む。
【００３７】
本発明においては、この非接合部４３６の存在によって、第１ガセット折部の他方の折部にも内容物の収容空間を確保することができる。この点は特許文献２の容器と比べて本発明の有利な点であり、内容物の収容空間を大きくすることができる構成となっているとともに、内容物の充填率が高くなるように内容物の充填を注出口４２２から行う際には上部収容空間の存在が極めて重要である。
【００３８】
（取手手段）
本実施形態に関する取手手段４３２は、平面視で略Ｕ字状の切込によって形成されている。これにより、使用者が切込に手を入れることで、包装体１０を保持することができる。包装体１０の他方の折部４３を一方の手により把持し、胴部２を他方の手で保持することにより、包装体１０を傾かせ、注出口４２２から内容物を容易に注出することができる。また、上記のように、他方の折部４３の第２部分４３４を構成する裏面フィルム６０の第１部分６１と天面フィルム７０の第２部分７２は、全領域に亘って接合されている、つまり、裏面フィルム６０の第１部分６１の全面と天面フィルム７０の第２部分７２の全面が接合されているために、他方の折部４３が十分な強度を有するので、５００ｍｌ以上の内容物であっても安定して注ぐことができる。
【００３９】
取手手段４３２は、横長形状とすることができ、幅方向の長さｌ２は、５ｃｍ以上とすることが好ましく、１０ｃｍ以上とすることがより好ましく、１５ｃｍ以上とすることがさらに好ましい。また、取手手段４３２の高さ方向の長さｌ３は、１ｃｍ以上とすることが好ましく、２ｃｍ以上とすることがより好ましい。このことにより、取手手段４３２に指を挿入し易くすることができる。また、取手手段は、隅部が湾曲するように形成されていることが好ましい。このことにより、使用者の手触り感をよくすることができる。
【００４０】
（注出口）
本実施形態に関する注出口とは、包装体の内容物を包装体の外部に注出するためのものである。注出口は、従来公知の注出口を用いることができる。なお、内容物の密閉性の観点から注出口には従来公知のスクリュー式等のキャップが設けられていてもよい。
【００４１】
図３（ａ）に示すように、内容物が収容されていない状態での正面視において、注出口４２２の先端４２２ａは、取手手段４３２の上縁４３７より下方に位置するように形成されていることが好ましい。また、注出口４２２の先端は、取手手段４３２内に収まるように形成されていることが好ましい。また、注出口４２２の先端は、取手手段４３２の下縁４３８より下方に位置するように形成されていることが好ましい。このことにより、注出口４２２に付着した内容物によって、取手手段４３２が汚れることを抑制することができる。
【００４２】
（使用例と効果）
最後に、包装体１０の使用例について説明する。図１は、図３のスタンディングパウチ１に内容物が収容された包装体１０である。スタンディングパウチ１は、第２ガセット折部３１が設けられている。このため、スタンディングパウチ１に内容物が収容されることで、第２ガセット折部３１が十分に広がるため、包装体１０は、自立可能となる（図１）。
【００４３】
内容物を注出口から注出する一使用例を図２により説明する。使用者は、包装体１０の他方の折部４３の第２部分４３４に形成された取手手段４３２である切込に一方の手の指を挿入した後、第２部分４３４を一方の手で把持し、第２ガセット折部３１を他方の手で保持することにより、包装体１０を傾かせて、注出口４２２から内容物を注出することができる。包装体１０は、注出時には、図２に示すように、注出口４２２が設けられている一方の折部４２が向かう方向と、取手手段４３２が設けられている他方の折部４３が向かう方向を異ならせることができ、注出口４２２と一方の手との距離を離すことができるため、注出された内容物によって手が汚れ難いという効果を有する。なお、他方の手で保持する箇所は第２ガセット折部３１に限らず、胴部２であってもよい。
【００４４】
本発明の注出口付きパウチにおける上記の効果は、内容物が大量に収容された包装体に適用する際には顕著なものとなる。具体的には例えば５００ｍｌ以上の内容物を収納可能な注出口付きパウチが好ましく、７００ｍｌ以上５０００ｍｌ以下であることがより好ましく、１０００ｍｌ以上２０００ｍｌ以下がさらに好ましい。
【符号の説明】
【００４５】
１      スタンディングパウチ
１０    包装体
２      胴部
３      下部
３１    第２ガセット折部
４１    第１ガセット折部
４２    第１ガセット折部の一方の折部
４２１  一方の折部の上縁（Ｌ２）
４２２  注出口
４３    第１ガセット折部の他方の折部
４３１  他方の折部の上縁（Ｌ１）
４３２  取手手段
４３３  第１ガセット折部の他方の折部の第１部分
４３４  第１ガセット折部の他方の折部の第２部分
４３５  第１ガセット折部の他方の折部の第１部分の上縁
４３６  非接合部
４３７  取手手段の上縁
４３８  取手手段の下縁
５０    表面フィルム
５１    表面フィルムの第１部分
５２    表面フィルムの第２部分
５３    表面フィルムの第３部分
６０    裏面フィルム
６１    裏面フィルムの第１部分
６２    裏面フィルムの第２部分
６３    裏面フィルムの第３部分
７０    天面フィルム
７１    天面フィルムの第１部分
７２    天面フィルムの第２部分
８０    底面フィルム
８１    底面フィルムの第１部分
８２    底面フィルムの第２部分
ｌ１    他方の折部４３の第２部分４３４の長さ
ｌ２    取手手段の幅方向の長さ
ｌ３    取手手段の高さ方向の長さ
Ｌ５    折線
Ｌ６    折線
Ｐ      第１ガセット折部の他方の折部の基部
Ｓ      ヒートシール部
【図１】
0006659999.tif 000002
【図２】
0006659999.tif 000003
【図３】
0006659999.tif 000004
【図４】
0006659999.tif 000005